(57)【要約】【課題】ネットワークシステムによる情報の送受信・サービスの提供における応答性を、地理的な要因を包含して測定することを可能とするシステムを、低コストにて構築可能な技術の提供。【解決手段】Ｗｅｂサイト４０のレスポンス測定において、各地域に設置されている複数のＰＣ２０（既存のＰＣに、レスポンス測定プログラムをレスポンス認定サーバ３０から配信することで、レスポンス測定機能を持たせたもの）からＷｅｂサイト４０のレスポンス測定を行わせ、当該測定結果を当該ＰＣ２０の設置場所情報を含む環境情報と共にレスポンス認定サーバ３０へと送信させることにより、レスポンス認定サーバ３０におけるＷｅｂサイト４０のレスポンス測定結果の評価を、各地域別に集計できるようにする。【選択図】図１
2007219708.tif 000002
【特許請求の範囲】
【請求項１】
異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムであって、前記情報処理装置の記憶部に自己が設置されている場所に関する情報を含む環境情報を保持させておき、前記被検証情報処理装置と前記ネットワークを介して接続した前記情報処理装置によって前記被検証情報処理装置のレスポンスを測定させることにより、当該レスポンス測定結果と前記環境情報とを対応付けて前記ネットワークを介して前記情報処理装置から前記レスポンス時間検証装置へと送信することを特徴とするレスポンス検証システム。
【請求項２】
異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムであって、前記情報処理装置が設置されている場所に関する情報を含む環境情報を、予め前記情報処理装置から前記レスポンス時間検証装置へと送信させ、前記レスポンス時間検証装置において、当該情報処理装置を識別する識別情報と前記環境情報とを対応づけて当該レスポンス時間検証装置が備える記憶部に保持し、前記被検証情報処理装置と前記ネットワークを介して接続した前記情報処理装置によって前記被検証情報処理装置のレスポンスを測定させ、当該レスポンス測定結果と前記識別情報とを対応付けて前記ネットワークを介して前記情報処理装置から前記レスポンス時間検証装置へと送信させることにより、これを受信した前記レスポンス時間検証装置において、当該受信した識別情報を使用してこれを送信してきた前記情報処理装置に該当する前記環境情報を前記記憶部から取得し、これを前記受信したレスポンス測定結果と対応付けて前記記憶部に格納することを特徴とするレスポンス検証システム。
【請求項３】
前記レスポンス時間検証装置から、前記ネットワークに接続されている情報処理装置に、前記ネットワークを介して接続対象のレスポンスを測定するためのレスポンス測定プログラムを配信することで、前記情報処理装置にレスポンス測定機能を備えさせることを特徴とする請求項１又は請求項２に記載のレスポンス検証システム。
【請求項４】
前記レスポンス時間検証装置から、前記情報処理装置に、前記被検証情報処理装置の接続先情報を送信し、前記情報処理装置において当該接続先情報を使用して前記情報処理装置のレスポンスを測定することを特徴とする請求項１乃至請求項３の何れか１つに記載のレスポンス検証システム。
【請求項５】
前記接続先情報が、ＷｅｂサイトのＵＲＬ情報であることを特徴とする請求項４記載のレスポンス検証システム。
【請求項６】
前記レスポンス時間検証装置において、前記レスポンス測定結果とこれに対応付けられた前記環境情報とを使用して、各地域ごとにレスポンス測定結果を集計することを特徴とする請求項１乃至請求項５の何れか１つに記載のレスポンス検証システム。
【請求項７】
請求項１記載のレスポンス検証システムに備えられる前記レスポンス時間検証装置であって、前記ネットワークへのデータの送受信を行う通信部と、演算処理を行う制御部と、記憶部と、を備えることにより、前記情報処理装置から送信される前記レスポンス測定結果と前記環境情報とを、前記通信部によって受信し、これらを対応付けて前記記憶部に格納することを特徴とするレスポンス時間検証装置。
【請求項８】
請求項１記載のレスポンス検証システムに備えられる前記レスポンス測定機能を備える情報処理装置であって、前記ネットワークへのデータの送受信を行う通信部と、演算処理を行う制御部と、前記環境情報が格納された記憶部と、入力部と、出力部と、を備えることにより、所定の時期が到来した際若しくはユーザからの前記入力部に対する指示があった際に、前記記憶部に格納されている接続先情報を使用して若しくは前記入力部に対するユーザによる入力によって得られた接続先情報を使用して、前記被検証情報処理装置へのアクセスを行い、前記レスポンス測定機能によって当該被検証情報処理装置のレスポンスを測定し、当該レスポンス測定結果と前記環境情報とを対応付けて前記通信部から前記レスポンス時間検証装置へと送出することを特徴とするレスポンス測定機能を備える情報処理装置。
【請求項９】
請求項２記載のレスポンス検証システムに備えられる前記レスポンス時間検証装置であって、前記ネットワークへのデータの送受信を行う通信部と、演算処理を行う制御部と、記憶部と、を備えることにより、
前記情報処理装置から送信された前記環境情報を受信した際には、当該情報処理装置に対して識別情報を付与して当該識別情報と前記環境情報とを対応付けて前記記憶部に格納すると共に前記情報処理装置に前記識別情報を送信し、
又は、
前記情報処理装置から識別情報を伴った前記環境情報を受信した際には、当該識別情報と前記環境情報とを対応付けて前記記憶部に格納し、
前記情報処理装置から送信される前記レスポンス測定結果と前記識別情報とを受信した場合には、前記制御部によって前記記憶部を参照して当該識別情報からこれに対応付けられた前記環境情報を取得し、当該環境情報と前記レスポンス測定結果とを対応付けて前記記憶部に格納することを特徴とするレスポンス時間検証装置。
【請求項１０】
請求項２記載のレスポンス検証システムに備えられる前記レスポンス測定機能を備える情報処理装置であって、前記ネットワークへのデータの送受信を行う通信部と、演算処理を行う制御部と、前記環境情報が格納された記憶部と、入力部と、出力部と、を備えることにより、
前記入力部に対してユーザから入力された前記環境情報を前記通信部から前記レスポンス時間検証装置へと送出して前記レスポンス時間検証装置から返信された識別情報を受信して前記記憶部に格納し、
又は、
前記環境情報と予め当該情報処理装置に付与されている識別情報とを前記通信部から前記レスポンス時間検証装置へと送出し、
所定の時期が到来した際若しくはユーザからの前記入力部に対する指示があった際に、前記記憶部に格納されている接続先情報を使用して若しくは前記入力部に対するユーザによる入力によって得られた接続先情報を使用して、前記被検証情報処理装置へのアクセスを行い、前記レスポンス測定機能によって当該被検証情報処理装置のレスポンスを測定し、当該レスポンス測定結果と前記識別情報とを対応付けて前記通信部から前記レスポンス時間検証装置へと送出することを特徴とするレスポンス測定機能を備える情報処理装置。
【請求項１１】
請求項３記載のレスポンス検証システムに備えられる前記レスポンス時間検証装置であって、前記記憶部に前記レスポンス測定プログラムを保持することで、前記ネットワークに接続された情報処理装置からの要求に応じて、前記レスポンス測定プログラムを配信することを特徴とする請求項７又は請求項９に記載のレスポンス時間検証装置。
【請求項１２】
請求項４記載のレスポンス検証システムに備えられる前記レスポンス時間検証装置であって、入力部を備えることにより、当該入力部から入力された前記接続先情報を前記記憶部に格納し、当該接続先情報を前記情報処理装置へと送信することを特徴とする請求項７又は請求項９又は請求項１１に記載のレスポンス時間検証装置。
【請求項１３】
前記接続先情報が、ＷｅｂサイトのＵＲＬ情報であることを特徴とする請求項１２記載のレスポンス時間検証装置。
【請求項１４】
前記制御部によって、前記記憶部に格納されている前記レスポンス測定結果を、これに対応付けられた前記環境情報に含まれる前記情報処理装置が設置された場所に関する情報から、各地域ごとに集計することを特徴とする請求項７又は請求項９又は請求項１１乃至請求項１３の何れか１つに記載のレスポンス時間検証装置。
【請求項１５】
請求項１記載のレスポンス検証システムに備えられる前記レスポンス時間検証装置に、前記情報処理装置から前記レスポンス測定結果と前記環境情報とを収集するステップと、当該収集した前記レスポンス測定結果と前記環境情報とを対応付けて前記記憶部に格納するステップと、を実行させることを特徴とするレスポンス時間収集プログラム。
【請求項１６】
請求項２記載のレスポンス検証システムに備えられる前記レスポンス時間検証装置に、前記情報処理装置から前記環境情報を受信し当該情報処理装置に対して識別情報を付与して当該識別情報と前記環境情報とを対応付けて前記記憶部に格納するステップと、前記情報処理装置に前記識別情報を送信するステップと、前記情報処理装置から前記レスポンス測定結果と前記識別情報とを収集するステップと、当該収集した識別情報からこれに対応付けられた前記環境情報を取得するステップと、当該環境情報と前記収集した前記レスポンス測定結果とを対応付けて前記記憶部に格納するステップと、を実行させることを特徴とするレスポンス時間収集プログラム。
【請求項１７】
請求項２記載のレスポンス検証システムに備えられる前記レスポンス時間検証装置に、前記情報処理装置から識別情報を伴った前記環境情報を受信し当該識別情報と前記環境情報とを対応付けて前記記憶部に格納するステップと、前記情報処理装置から前記レスポンス測定結果と前記識別情報とを収集するステップと、当該収集した識別情報からこれに対応付けられた前記環境情報を取得するステップと、当該環境情報と前記収集した前記レスポンス測定結果とを対応付けて前記記憶部に格納するステップと、を実行させることを特徴とするレスポンス時間収集プログラム。
【請求項１８】
異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムにおける地域別レスポンス検証方法であって、前記情報処理装置に自己が設置されている場所に関する情報を含む環境情報を保持させておき、前記被検証情報処理装置と前記ネットワークを介して接続した前記情報処理装置によって前記被検証情報処理装置のレスポンスを測定させ、当該レスポンス測定結果と前記環境情報とを対応付けて前記ネットワークを介して前記情報処理装置から前記レスポンス時間検証装置へと送信させることにより、前記レスポンス時間検証装置において、前記レスポンス測定結果とこれに対応付けられた前記環境情報とを使用して、各地域ごとにレスポンス測定結果を集計することを特徴とする地域別レスポンス検証方法。
【請求項１９】
異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムにおける地域別レスポンス検証方法であって、前記情報処理装置が設置されている場所に関する情報を含む環境情報を、予め前記情報処理装置から前記レスポンス時間検証装置へと送信させ、前記レスポンス時間検証装置において、当該情報処理装置を識別する識別情報と前記環境情報とを対応づけて管理し、前記被検証情報処理装置と前記ネットワークを介して接続した前記情報処理装置によって前記被検証情報処理装置のレスポンスを測定させ、当該レスポンス測定結果と前記識別情報とを対応付けて前記ネットワークを介して前記情報処理装置から前記レスポンス時間検証装置へと送信させることにより、これを受信した前記レスポンス時間検証装置において、当該受信した識別情報を使用してこれを送信してきた前記情報処理装置に該当する前記環境情報を取得し、当該環境情報と前記レスポンス測定結果とを使用して、各地域ごとにレスポンス測定結果を集計することを特徴とする地域別レスポンス検証方法。
【請求項２０】
前記レスポンス時間検証装置から、前記ネットワークに接続されている情報処理装置に、前記ネットワークを介して接続対象のレスポンスを測定するためのレスポンス測定プログラムを配信することで前記情報処理装置にレスポンス測定機能を備えさせることを特徴とする請求項１８又は請求項１９に記載の地域別レスポンス検証方法。
【請求項２１】
前記レスポンス時間検証装置から前記情報処理装置に前記被検証情報処理装置の接続先情報を送信させ、前記情報処理装置において当該接続先情報を使用して前記情報処理装置のレスポンスを測定させることを特徴とする請求項１８乃至請求項２０の何れか１つに記載の地域別レスポンス検証方法。
【請求項２２】
前記ネットワークはインターネットであり、前記接続先情報はＷｅｂサイトのＵＲＬ情報であり、前記レスポンス時間検証装置を有するレスポンス認定サービス提供者は、Ｗｅｂサイトを有する者からの求めに応じて当該ＷｅｂサイトのＵＲＬ情報を前記レスポンス時間検証装置に前記接続先情報として登録し、前記レスポンス時間検証装置から受信した当該接続先情報たるＵＲＬ情報を使用して前記Ｗｅｂサイトのレスポンスを測定した前記各情報処理装置から、当該レスポンス測定結果を受信した前記レスポンス時間検証装置において若しくは当該レスポンス測定結果を前記レスポンス時間検証装置を介して受信した前記レスポンス認定サービス提供者が有するＷｅｂサーバにおいて、前記Ｗｅｂサイトの各地域ごとに集計したレスポンス測定結果を示すＷｅｂページを公開させることを特徴とする請求項２１記載の地域別レスポンス検証方法。
【発明の詳細な説明】
【技術分野】
【０００１】
本発明は、ネットワークを介してサービスを提供するサービス提供情報処理装置（Ｗｅｂサーバ等）の、レスポンスを測定するレスポンス検証システムに関するものであり、特に、地域的な要素を含んだレスポンス測定を行うレスポンス検証システムに関する。
【背景技術】
【０００２】
インターネットに代表されるネットワークを介して、情報の送受信・サービスの提供を行うことが行われており、このようなネットワークを介して提供されるサービス等を評価する為の指標の一つとして、応答性がある。従って、例えば、インターネット上のＷｅｂサイトを評価する為に、そのレスポンスを測定することが行われており、これに関する従来技術が特許文献１などによって開示されている。
【０００３】
【特許文献１】特開２００３−４４３７２号公報
【発明の開示】
【発明が解決しようとする課題】
【０００４】
ネットワーク上を流れる情報は、他の物流に比して圧倒的に高速である為、ネットワークシステムによる情報の送受信・サービスの提供における応答性は、地理的な要因による影響を受け難いものと言える面もあるが、ネットワークの規模が巨大になってくると（インターネットは全世界的規模）、地理的な要因に起因した影響が応答性に現れる場合がある。例えば、１箇所にのみ配置されているサーバによって運営されるＷｅｂサイトに、近隣者からアクセスするのと遠隔者からアクセスするのでは、アクセスする為に経由するパス（通信経路）が多くなる遠隔者の方が、信頼性及び応答性に劣ることとなるであろうし、また、各地にミラーサイトを配置して運営しているＷｅｂサイトの場合（例えばミラーサイトＡとＢがあった場合に）、ミラーサイトの処理能力の差やアクセス数の差に起因して、ミラーサイトＡにアクセスする（地域Ａにいる）方がミラーサイトＢにアクセスする（地域Ｂにいる）より応答性がよいという場合も考えられる。
【０００５】
このように、大規模なネットワークシステムにおける情報の送受信やサービスの提供を評価するための応答性を考える場合、地理的な要因を包含したレスポンス測定を行うことが望まれるが、従来の技術にはレスポンス測定に地理的な要因を含めるという概念が無かった為、このような要請に応えられるものではなかった。
【０００６】
本発明は、上述した点に鑑み、ネットワークシステムによる情報の送受信・サービスの提供における応答性を、地理的な要因を包含させて測定することを可能とするシステムを、低コストにて構築可能な技術を提供することを目的とする。
【課題を解決するための手段】
【０００７】
請求項１のレスポンス検証システムは、異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムであって、前記情報処理装置の記憶部に自己が設置されている場所に関する情報を含む環境情報を保持させておき、前記被検証情報処理装置と前記ネットワークを介して接続した前記情報処理装置によって前記被検証情報処理装置のレスポンスを測定させることにより、当該レスポンス測定結果と前記環境情報とを対応付けて前記ネットワークを介して前記情報処理装置から前記レスポンス時間検証装置へと送信することを特徴とする。
【０００８】
上記構成によれば、異なる場所に設置される複数の情報処理装置によって、被検証情報処理装置のレスポンスが測定され、当該測定結果が環境情報（レスポンスを測定した情報処理装置の設置されている場所に関する情報を含む情報）と対応付けられてレスポンス時間検証装置へと送信されるため、レスポンス時間検証装置において、地理的情報が対応付けられたレスポンス測定結果を蓄積することが可能となる。なお、レスポンス測定機能は、例えば、被検証情報処理装置に対して何らかのデータ送信要求を送出した時点と、当該要求に対する応答としてのデータ受信が完了した時点と、の間の時間を測定することなどによって実現される。また、“環境情報”とは、各情報処理装置に関する情報であり、各情報処理装置の所在地に関する情報の他、例えば、接続回線情報やプロバイダ情報などの、被検証情報処理装置のレスポンスを測定する際に、測定結果に影響を及ぼし得る要因に関する情報が含まれる。
【０００９】
請求項２のレスポンス検証システムは、異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムであって、前記情報処理装置が設置されている場所に関する情報を含む環境情報を、予め前記情報処理装置から前記レスポンス時間検証装置へと送信させ、前記レスポンス時間検証装置において、当該情報処理装置を識別する識別情報と前記環境情報とを対応づけて当該レスポンス時間検証装置が備える記憶部に保持し、前記被検証情報処理装置と前記ネットワークを介して接続した前記情報処理装置によって前記被検証情報処理装置のレスポンスを測定させ、当該レスポンス測定結果と前記識別情報とを対応付けて前記ネットワークを介して前記情報処理装置から前記レスポンス時間検証装置へと送信させることにより、これを受信した前記レスポンス時間検証装置において、当該受信した識別情報を使用してこれを送信してきた前記情報処理装置に該当する前記環境情報を前記記憶部から取得し、これを前記受信したレスポンス測定結果と対応付けて前記記憶部に格納することを特徴とする。
【００１０】
上記構成によれば、各情報処理装置の環境情報を予めレスポンス時間検証装置に送信して、当該情報処理装置の識別情報と環境情報とを対応付けて登録しておくことにより、各情報処理装置によって得られた被検証情報処理装置のレスポンス測定結果を、レスポンス時間検証装置に送信する際には、識別情報を送信することで（環境情報を送信しなくても）、レスポンス時間検証装置において当該情報処理装置の環境情報を判別することが可能となる。
【００１１】
請求項３のレスポンス検証システムは、請求項１又は請求項２に記載のレスポンス検証システムであって、前記レスポンス時間検証装置から、前記ネットワークに接続されている情報処理装置に、前記ネットワークを介して接続対象のレスポンスを測定するためのレスポンス測定プログラムを配信することで、前記情報処理装置にレスポンス測定機能を備えさせることを特徴とする。
【００１２】
上記構成によれば、ネットワークに接続されている既存の情報処理装置に、レスポンス測定プログラムがインストールされることにより、既存の情報処理装置が、レスポンス測定機能を備えた情報処理装置とされる。
【００１３】
請求項４のレスポンス検証システムは、請求項１乃至請求項３の何れか１つに記載のレスポンス検証システムであって、前記レスポンス時間検証装置から、前記情報処理装置に、前記被検証情報処理装置の接続先情報を送信し、前記情報処理装置において当該接続先情報を使用して前記情報処理装置のレスポンスを測定することを特徴とする。
【００１４】
上記構成によれば、レスポンス時間検証装置から与えられる接続先情報に従って、各情報処理装置によるレスポンス測定が実行される。
【００１５】
請求項５のレスポンス検証システムは、請求項４記載のレスポンス検証システムであって、前記接続先情報が、ＷｅｂサイトのＵＲＬ情報であることを特徴とする。
【００１６】
上記構成によれば、レスポンス時間検証装置から与えられるＵＲＬ情報に従って、各情報処理装置によるＷｅｂサイトのレスポンス測定が実行される。
【００１７】
請求項６のレスポンス検証システムは、請求項１乃至請求項５の何れか１つに記載のレスポンス検証システムであって、前記レスポンス時間検証装置において、前記レスポンス測定結果とこれに対応付けられた前記環境情報とを使用して、各地域ごとにレスポンス測定結果を集計することを特徴とする。
【００１８】
上記構成によれば、被検証情報処理装置のレスポンス測定結果が、各地域ごとに集計される。
【００１９】
請求項７のレスポンス時間検証装置は、請求項１記載のレスポンス検証システムに備えられる前記レスポンス時間検証装置であって、前記ネットワークへのデータの送受信を行う通信部と、演算処理を行う制御部と、記憶部と、を備えることにより、前記情報処理装置から送信される前記レスポンス測定結果と前記環境情報とを、前記通信部によって受信し、これらを対応付けて前記記憶部に格納することを特徴とする。
【００２０】
請求項８のレスポンス測定機能を備える情報処理装置は、請求項１記載のレスポンス検証システムに備えられる前記レスポンス測定機能を備える情報処理装置であって、前記ネットワークへのデータの送受信を行う通信部と、演算処理を行う制御部と、前記環境情報が格納された記憶部と、入力部と、出力部と、を備えることにより、所定の時期が到来した際若しくはユーザからの前記入力部に対する指示があった際に、前記記憶部に格納されている接続先情報を使用して若しくは前記入力部に対するユーザによる入力によって得られた接続先情報を使用して、前記被検証情報処理装置へのアクセスを行い、前記レスポンス測定機能によって当該被検証情報処理装置のレスポンスを測定し、当該レスポンス測定結果と前記環境情報とを対応付けて前記通信部から前記レスポンス時間検証装置へと送出することを特徴とする。
【００２１】
請求項９のレスポンス時間検証装置は、請求項２記載のレスポンス検証システムに備えられる前記レスポンス時間検証装置であって、前記ネットワークへのデータの送受信を行う通信部と、演算処理を行う制御部と、記憶部と、を備えることにより、前記情報処理装置から送信された前記環境情報を受信した際には、当該情報処理装置に対して識別情報を付与して当該識別情報と前記環境情報とを対応付けて前記記憶部に格納すると共に前記情報処理装置に前記識別情報を送信し、又は、前記情報処理装置から識別情報を伴った前記環境情報を受信した際には、当該識別情報と前記環境情報とを対応付けて前記記憶部に格納し、前記情報処理装置から送信される前記レスポンス測定結果と前記識別情報とを受信した場合には、前記制御部によって前記記憶部を参照して当該識別情報からこれに対応付けられた前記環境情報を取得し、当該環境情報と前記レスポンス測定結果とを対応付けて前記記憶部に格納することを特徴とする。
【００２２】
請求項１０のレスポンス測定機能を備える情報処理装置は、請求項２記載のレスポンス検証システムに備えられる前記レスポンス測定機能を備える情報処理装置であって、前記ネットワークへのデータの送受信を行う通信部と、演算処理を行う制御部と、前記環境情報が格納された記憶部と、入力部と、出力部と、を備えることにより、前記入力部に対してユーザから入力された前記環境情報を前記通信部から前記レスポンス時間検証装置へと送出して前記レスポンス時間検証装置から返信された識別情報を受信して前記記憶部に格納し、又は、前記環境情報と予め当該情報処理装置に付与されている識別情報とを前記通信部から前記レスポンス時間検証装置へと送出し、所定の時期が到来した際若しくはユーザからの前記入力部に対する指示があった際に、前記記憶部に格納されている接続先情報を使用して若しくは前記入力部に対するユーザによる入力によって得られた接続先情報を使用して、前記被検証情報処理装置へのアクセスを行い、前記レスポンス測定機能によって当該被検証情報処理装置のレスポンスを測定し、当該レスポンス測定結果と前記識別情報とを対応付けて前記通信部から前記レスポンス時間検証装置へと送出することを特徴とする。
【００２３】
請求項１１のレスポンス時間検証装置は、請求項３記載のレスポンス検証システムに備えられる前記レスポンス時間検証装置であり、請求項７又は請求項９に記載のレスポンス時間検証装置あって、前記記憶部に前記レスポンス測定プログラムを保持することで、前記ネットワークに接続された情報処理装置からの要求に応じて、前記レスポンス測定プログラムを配信することを特徴とする。
【００２４】
請求項１２のレスポンス時間検証装置は、請求項４記載のレスポンス検証システムに備えられる前記レスポンス時間検証装置であり、請求項７又は請求項９又は請求項１１に記載のレスポンス時間検証装置であって、入力部を備えることにより、当該入力部から入力された前記接続先情報を前記記憶部に格納し、当該接続先情報を前記情報処理装置へと送信することを特徴とする。
【００２５】
請求項１３のレスポンス時間検証装置は、請求項１２記載のレスポンス時間検証装置であって、前記接続先情報が、ＷｅｂサイトのＵＲＬ情報であることを特徴とする。
【００２６】
請求項１４のレスポンス時間検証装置は、請求項７又は請求項９又は請求項１１乃至請求項１３の何れか１つに記載のレスポンス時間検証装置であって、前記制御部によって、前記記憶部に格納されている前記レスポンス測定結果を、これに対応付けられた前記環境情報に含まれる前記情報処理装置が設置された場所に関する情報から、各地域ごとに集計することを特徴とする。
【００２７】
請求項１５のレスポンス時間収集プログラムは、請求項１記載のレスポンス検証システムに備えられる前記レスポンス時間検証装置に、前記情報処理装置から前記レスポンス測定結果と前記環境情報とを収集するステップと、当該収集した前記レスポンス測定結果と前記環境情報とを対応付けて前記記憶部に格納するステップと、を実行させることを特徴とする。
【００２８】
前記レスポンス測定結果と前記環境情報とを“収集する”とは、レスポンス時間検証装置が能動的に情報処理装置から各情報を収集するということに限定するものではなく、情報処理装置からの各情報の送信を待つという受動的な処理も含むものである。
【００２９】
請求項１６のレスポンス時間収集プログラムは、請求項２記載のレスポンス検証システムに備えられる前記レスポンス時間検証装置に、前記情報処理装置から前記環境情報を受信し当該情報処理装置に対して識別情報を付与して当該識別情報と前記環境情報とを対応付けて前記記憶部に格納するステップと、前記情報処理装置に前記識別情報を送信するステップと、前記情報処理装置から前記レスポンス測定結果と前記識別情報とを収集するステップと、当該収集した識別情報からこれに対応付けられた前記環境情報を取得するステップと、当該環境情報と前記収集した前記レスポンス測定結果とを対応付けて前記記憶部に格納するステップと、を実行させることを特徴とする。
【００３０】
請求項１７のレスポンス時間収集プログラムは、請求項２記載のレスポンス検証システムに備えられる前記レスポンス時間検証装置に、前記情報処理装置から識別情報を伴った前記環境情報を受信し当該識別情報と前記環境情報とを対応付けて前記記憶部に格納するステップと、前記情報処理装置から前記レスポンス測定結果と前記識別情報とを収集するステップと、当該収集した識別情報からこれに対応付けられた前記環境情報を取得するステップと、当該環境情報と前記収集した前記レスポンス測定結果とを対応付けて前記記憶部に格納するステップと、を実行させることを特徴とする。
【００３１】
請求項１８の地域別レスポンス検証方法は、異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムにおける地域別レスポンス検証方法であって、前記情報処理装置に自己が設置されている場所に関する情報を含む環境情報を保持させておき、前記被検証情報処理装置と前記ネットワークを介して接続した前記情報処理装置によって前記被検証情報処理装置のレスポンスを測定させ、当該レスポンス測定結果と前記環境情報とを対応付けて前記ネットワークを介して前記情報処理装置から前記レスポンス時間検証装置へと送信させることにより、前記レスポンス時間検証装置において、前記レスポンス測定結果とこれに対応付けられた前記環境情報とを使用して、各地域ごとにレスポンス測定結果を集計することを特徴とする。
【００３２】
請求項１９の地域別レスポンス検証方法は、異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムにおける地域別レスポンス検証方法であって、前記情報処理装置が設置されている場所に関する情報を含む環境情報を、予め前記情報処理装置から前記レスポンス時間検証装置へと送信させ、前記レスポンス時間検証装置において、当該情報処理装置を識別する識別情報と前記環境情報とを対応づけて管理し、前記被検証情報処理装置と前記ネットワークを介して接続した前記情報処理装置によって前記被検証情報処理装置のレスポンスを測定させ、当該レスポンス測定結果と前記識別情報とを対応付けて前記ネットワークを介して前記情報処理装置から前記レスポンス時間検証装置へと送信させることにより、これを受信した前記レスポンス時間検証装置において、当該受信した識別情報を使用してこれを送信してきた前記情報処理装置に該当する前記環境情報を取得し、当該環境情報と前記レスポンス測定結果とを使用して、各地域ごとにレスポンス測定結果を集計することを特徴とする。
【００３３】
請求項２０の地域別レスポンス検証方法は、請求項１８又は請求項１９に記載の地域別レスポンス検証方法であって、前記レスポンス時間検証装置から、前記ネットワークに接続されている情報処理装置に、前記ネットワークを介して接続対象のレスポンスを測定するためのレスポンス測定プログラムを配信することで前記情報処理装置にレスポンス測定機能を備えさせることを特徴とする。
【００３４】
請求項２１の地域別レスポンス検証方法は、請求項１８乃至請求項２０の何れか１つに記載の地域別レスポンス検証方法であって、前記レスポンス時間検証装置から前記情報処理装置に前記被検証情報処理装置の接続先情報を送信させ、前記情報処理装置において当該接続先情報を使用して前記情報処理装置のレスポンスを測定させることを特徴とする。
【００３５】
請求項２２の地域別レスポンス検証方法は、請求項２１記載の地域別レスポンス検証方法であって、前記ネットワークはインターネットであり、前記接続先情報はＷｅｂサイトのＵＲＬ情報であり、前記レスポンス時間検証装置を有するレスポンス認定サービス提供者は、Ｗｅｂサイトを有する者からの求めに応じて当該ＷｅｂサイトのＵＲＬ情報を前記レスポンス時間検証装置に前記接続先情報として登録し、前記レスポンス時間検証装置から受信した当該接続先情報たるＵＲＬ情報を使用して前記Ｗｅｂサイトのレスポンスを測定した前記各情報処理装置から、当該レスポンス測定結果を受信した前記レスポンス時間検証装置において若しくは当該レスポンス測定結果を前記レスポンス時間検証装置を介して受信した前記レスポンス認定サービス提供者が有するＷｅｂサーバにおいて、前記Ｗｅｂサイトの各地域ごとに集計したレスポンス測定結果を示すＷｅｂページを公開させることを特徴とする。
【００３６】
上記構成によれば、Ｗｅｂサイトを有する者からの要求に応じて、当該Ｗｅｂサイトのレスポンス測定が行われ、その測定結果が地域ごとに集計されて、Ｗｅｂページ上で公開される。
【発明の効果】
【００３７】
本発明の請求項１の、異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムであって、前記情報処理装置の記憶部に自己が設置されている場所に関する情報を含む環境情報を保持させておき、前記被検証情報処理装置と前記ネットワークを介して接続した前記情報処理装置によって前記被検証情報処理装置のレスポンスを測定させることにより、当該レスポンス測定結果と前記環境情報とを対応付けて前記ネットワークを介して前記情報処理装置から前記レスポンス時間検証装置へと送信することを特徴とするレスポンス検証システムによれば、異なる場所に設置される複数の情報処理装置によって、被検証情報処理装置のレスポンスが測定され、当該測定結果が環境情報と対応付けられてレスポンス時間検証装置へと送信されるため、レスポンス時間検証装置において地理的情報が対応付けられたレスポンス測定結果を取得することができる。従って、ネットワークシステムにおける情報の送受信やサービスの提供を評価する為の応答性の測定・評価を、地理的な要因を包含させて行うことが可能となる。
【００３８】
本発明の請求項２の、異なる場所に設置される複数の情報処理装置であって接続対象のレスポンスを測定するレスポンス測定機能を備える情報処理装置と、レスポンス検証対象となる被検証情報処理装置と、前記情報処理装置と前記被検証情報処理装置とを接続するネットワークと、前記情報処理装置によって得られたレスポンス測定結果を収集するレスポンス時間検証装置と、を備えるネットワークシステムであって、前記情報処理装置が設置されている場所に関する情報を含む環境情報を、予め前記情報処理装置から前記レスポンス時間検証装置へと送信させ、前記レスポンス時間検証装置において、当該情報処理装置を識別する識別情報と前記環境情報とを対応づけて当該レスポンス時間検証装置が備える記憶部に保持し、前記被検証情報処理装置と前記ネットワークを介して接続した前記情報処理装置によって前記被検証情報処理装置のレスポンスを測定させ、当該レスポンス測定結果と前記識別情報とを対応付けて前記ネットワークを介して前記情報処理装置から前記レスポンス時間検証装置へと送信させることにより、これを受信した前記レスポンス時間検証装置において、当該受信した識別情報を使用してこれを送信してきた前記情報処理装置に該当する前記環境情報を前記記憶部から取得し、これを前記受信したレスポンス測定結果と対応付けて前記記憶部に格納することを特徴とするレスポンス検証システムによれば、レスポンス時間検証装置に各情報処理装置の識別情報と環境情報とを対応付けて予め登録しておくことにより、各情報処理装置によって取得されたレスポンス測定結果を、レスポンス時間検証装置に送信する際には、識別情報を送信することで（環境情報を送信しなくても）、レスポンス時間検証装置において当該情報処理装置の環境情報を判別することが可能となる。従って、一度環境情報を登録した後は、環境情報を毎回送信する必要は無く、ネットワーク上のトラフィックを低減させることができる。
【００３９】
本発明の請求項３の、前記レスポンス時間検証装置から、前記ネットワークに接続されている情報処理装置に、前記ネットワークを介して接続対象のレスポンスを測定するためのレスポンス測定プログラムを配信することで、前記情報処理装置にレスポンス測定機能を備えさせることを特徴とする請求項１又は請求項２に記載のレスポンス検証システムによれば、ネットワークに接続されている既存の情報処理装置（例えば、インターネット接続環境を有する個人ユースのＰＣ）を、レスポンス測定機能を備えた情報処理装置とすることができるため、設備投資を最小限に抑えつつ、全地域的に多数の“異なる場所に設置されるレスポンス測定機能を備えた複数の情報処理装置”を設けることが可能となる。
【００４０】
本発明の請求項４の、前記レスポンス時間検証装置から、前記情報処理装置に、前記被検証情報処理装置の接続先情報を送信し、前記情報処理装置において当該接続先情報を使用して前記情報処理装置のレスポンスを測定することを特徴とする請求項１乃至請求項３の何れか１つに記載のレスポンス検証システムによれば、レスポンス時間検証装置から与えられる接続先情報に従って、各情報処理装置によるレスポンス測定が実行されるため、レスポンス時間検証装置側によって、レスポンス検証対象を指示する事が可能となる。
【００４１】
本発明の請求項６の、前記レスポンス時間検証装置において、前記レスポンス測定結果とこれに対応付けられた前記環境情報とを使用して、各地域ごとにレスポンス測定結果を集計することを特徴とする請求項１乃至請求項５の何れか１つに記載のレスポンス検証システムによれば、被検証情報処理装置のレスポンス測定結果が、各地域ごとに集計されるため、例えば、「ＷｅｂサイトＸは、地域Ａからアクセスした場合の平均的レスポンスはａであり、地域Ｂからアクセスした場合の平均的レスポンスはｂである」といった情報を得ることができる。
【００４２】
本発明の請求項２２の、前記ネットワークはインターネットであり、前記接続先情報はＷｅｂサイトのＵＲＬ情報であり、前記レスポンス時間検証装置を有するレスポンス認定サービス提供者は、Ｗｅｂサイトを有する者からの求めに応じて当該ＷｅｂサイトのＵＲＬ情報を前記レスポンス時間検証装置に前記接続先情報として登録し、前記レスポンス時間検証装置から受信した当該接続先情報たるＵＲＬ情報を使用して前記Ｗｅｂサイトのレスポンスを測定した前記各情報処理装置から、当該レスポンス測定結果を受信した前記レスポンス時間検証装置において若しくは当該レスポンス測定結果を前記レスポンス時間検証装置を介して受信した前記レスポンス認定サービス提供者が有するＷｅｂサーバにおいて、前記Ｗｅｂサイトの各地域ごとに集計したレスポンス測定結果を示すＷｅｂページを公開させることを特徴とする請求項２１記載の地域別レスポンス検証方法によれば、Ｗｅｂサイトを有する者からの要求に応じて、当該Ｗｅｂサイトのレスポンス測定が行われ、その測定結果が地域ごとに集計されて、Ｗｅｂページ上で公開される。従って、例えば、Ｗｅｂサイトを有する者（企業）から対価を得てレスポンス認定サービスを提供するというビジネスモデルとすることもできる（Ｗｅｂサイトを有する企業にしてみれば、良好な評価（レスポンス結果）が公開されることは、一般ユーザに対する宣伝効果などを得ることができるものであるため、レスポンス認定サービス提供者に対価を払ってレスポンスの測定、結果の公開を依頼することが考えられるため）。
【発明を実施するための最良の形態】
【００４３】
以下、本発明の具体的実施例について、図面を参照しながら説明する。なお、以下の実施態様は、本発明を具体化する際の一形態であって、本発明をその範囲内に限定するためのものではない。
【００４４】
図１は、本実施例のレスポンス検証システムの構成の概略を示すブロック図であり、図２及び図３は同システムの地理的な配置を説明するための説明図である。
【００４５】
本実施例のレスポンス検証システム１は、インターネット１０上に設けられているＷｅｂサイト４０のレスポンスを、Ｗｅｂサイト４０にアクセスする装置（ＰＣ等）の地理的な要因を含めて測定・評価するものである。“地理的な要因も含めて”とは、Ｗｅｂサイト４０にアクセスする際に、地域の別によってレスポンスに差がないかを検証するために、アクセスしたＰＣ２０の配置されている場所に関する情報も関連付けてＷｅｂサイトのレスポンスを評価するものである。
【００４６】
例えば、図２に示したように、Ｗｅｂサイト４０が、各地に設置されたミラーサイト４１〜４５によって運営されているような場合に、何れかのＰＣからＷｅｂサイト４０にアクセスしようとした場合、通常は、ミラーサイト４１〜４５のうち最も近いサーバに接続するようなアクセス制御がなされる（ＤＮＳサーバの設定などによる）ため、同じサイトに接続する場合であっても、サイトの応答性に地域間の格差が生じることがある（地域が異なれば、アクセス先が同一サイトであっても、物理的には異なる装置にアクセスすることとなるため、ミラーサイト４１〜４５に処理能力の差がある場合や処理能力は同等であっても処理件数に差があると、応答性に差が出るため）。
【００４７】
また、図３に示されるように、Ｗｅｂサイト４０が、サーバ４７のみによって運営されているような場合には、何れのＰＣからも同一の装置にアクセスすることとなるが、通常は、サーバ４７の近隣にあるＰＣより遠隔地にあるＰＣの方がより多くの経路をたどってアクセスすることとなるため、伝送時間が長くなり、また、途中の通信経路における不具合が生じる可能性も遠隔地にある場合の方が高くなる（信頼性が低下する）。このように、Ｗｅｂサイトを運営する者の設備投資状況によって、Ｗｅｂサイトの応答性や信頼性に、地域間における格差が生じるため、本実施例のレスポンス検証システムは、Ｗｅｂサイトを評価する際の要素の１つとして、Ｗｅｂサイトにアクセスする側の地理的な要因を用いるものである。
【００４８】
本実施例のレスポンス検証システム１は、図１に示されるように、Ｗｅｂサイト４０にアクセスしてレスポンスを測定するＰＣ（レスポンス測定機能を備える情報処理装置）２０と、当該ＰＣ２０からインターネット１０を介して“レスポンス測定結果”を収集するレスポンス認定サーバ（レスポンス時間検証装置）３０と、を備える。図１では、簡略化のために、ＰＣ２０を１つのみ示しているが、前述したごとく、ＰＣ２０は異なる場所に複数設置されるものである（同様に、レスポンス測定対象であるＷｅｂサイトも複数あるものである）。
【００４９】
レスポンス認定サーバ３０は、ファイアウォール５０を介してインターネット１０と接続され、ネットワークへのデータの送受信を行う通信部３５と、各種演算処理や各部の制御等を行う制御部３１と、記憶部３２と、ユーザに対する入力・出力インターフェースである入力部（キーボードやマウスなど）３４・出力部（モニタなど）３３と、などを備える。記憶部３２には、Ｗｅｂサイトのレスポンスを測定するためにＰＣ等にインストールさせるプログラムであるレスポンス測定プログラムや、当該レスポンス測定プログラムが使用するデータであってレスポンスを測定するＷｅｂサイトの接続先情報（ＵＲＬ情報）が格納された接続先ＤＢや、各ＰＣからの要求に応じてレスポンス測定プログラムを配信する為に必要情報の入力を求める入力フォームを有するＷｅｂページなどが格納される。
【００５０】
ＰＣ２０は、ネットワーク（ファイアウォール５０を介したインターネット）へのデータの送受信を行う通信部２５と、演算処理などを行う制御部２１と、記憶部２２と、ユーザに対する入力・出力インターフェースである入力部２４・出力部２３と、などを備える。ＰＣ２０は、レスポンス認定サーバ３０からレスポンス測定プログラムをダウンロードする等して、これをインストールすることにより、“レスポンス測定機能（記憶部２２に格納されるレスポンス測定プログラムと、これを実行する制御部２１や通信部２５によって機能する）”を備えるものである。
【００５１】
以上の構成を有するレスポンス検証システム１の、本発明に関する動作の概略を、図４〜図７を参照しつつ説明する。
【００５２】
図４は、ＰＣ２０における、レスポンス測定プログラムをレスポンス認定サーバ３０からダウンロードする際の処理の概略を示したフローチャートであり、図５は、ＰＣ２０からレスポンス測定プログラムのダウンロード要求があった際のレスポンス認定サーバ３０の処理の概略を示したフローチャートである。
【００５３】
ＰＣ２０の入力部２４に対するユーザの入力により、レスポンス認定サーバ３０に対する登録要求（ＰＣ２０を“レスポンス検証システム１”の構成要素として機能させるための設定要求であり、レスポンス認定サーバ３０の登録Ｗｅｂサイトへのアクセス要求）があった際には、登録するための入力フォームページの送信要求をレスポンス認定サーバ３０に送信する。これを受けたレスポンス認定サーバ３０では（図５：ステップ５０１）、入力フォームページを応答としてＰＣ２０に送信する（ステップ５０２）。「ＰＣ２０を“レスポンス検証システム１”の構成要素として機能させるため」の登録に必要な情報は、ＰＣの所在地情報などの環境情報であり、環境情報には所在地情報の他、接続回線情報やプロバイダ情報などの、Ｗｅｂサイトのレスポンスを測定する際に、測定結果に影響を及ぼし得る要因に関する情報が含まれる。なお、ＰＣ２０やレスポンス認定サーバ３０における各処理動作は、入力されたデータ（入力部や通信部、記憶部から得られるデータ）を、記憶部に保存する等しつつ制御部によって演算処理し、これによって得られた演算結果を記憶部に保存若しくは出力部に出力若しくは通信部から送出することによって行う。以下の各処理を実行する主体についても同様の概念である。
【００５４】
入力フォームページを受信したＰＣ２０では、これを出力部２３に表示して（図１１に当該表示画面の一例を示した）環境情報などの入力をユーザに求めて当該情報を取得する（図４：ステップ４０１）。続くステップ４０２では、ステップ４０１で得られた情報から手続きが新規登録であるか否かを判別し、新規登録であった場合には、ステップ４０１で取得した環境情報等（入力フォームに入力された情報）と、レスポンス測定プログラムの送信要求とをレスポンス認定サーバ３０へ送出する（ステップ４０３）。
【００５５】
当該環境情報とレスポンス測定プログラムの送信要求とを受信したレスポンス認定サーバ３０ではステップ５０５へと移行し（図５：ステップ５０３〜５０４）、当該情報を送信してきたＰＣ２０に対して識別情報（各ＰＣを一意に定めることができる情報）を付与して、当該識別情報と受信した環境情報等とを対応付けて記憶部３２（ＰＣ登録内容ＤＢ）に格納する（ステップ５０５）。図８には、当該ＰＣ登録内容ＤＢの内容を示したテーブルの一例を示した。このように、識別情報（識別子）と環境情報とが対応付けられてレスポンス認定サーバ３０によって保持される。続くステップ５０６では、識別情報とレスポンス測定プログラムとをＰＣ２０へ送出する（識別情報をレスポンス測定プログラムに組み込んで送信するもの等であってよい）。なお、この際にレスポンスを測定する対象となるＷｅｂサイトのＵＲＬ情報（接続先情報）も送信される（上記と同様に、レスポンス測定プログラムに組み込んで送信するものであってよい）。
【００５６】
レスポンス測定プログラムを受信したＰＣ２０ではステップ４０５へと移行し（図４：ステップ４０４）、受信したレスポンス測定プログラムのインストール処理（ステップ４０５）と、受信した識別情報の登録（記憶部２２への格納）処理（ステップ４０６）を行う（前述したように、識別情報がレスポンス測定プログラムに組み込まれている場合には、ステップ４０６の処理は特に必要ない）。なお、前述のごとくＵＲＬ情報（接続先情報）も同様に受信され、記憶部２２へ格納される。
【００５７】
登録手続きが、新規登録ではなく登録内容の変更手続きであった場合には（図４：ステップ４０２）、変更内容（新しい環境情報など）を識別情報（既にレスポンス認定サーバ３０から付与され、記憶部２２に格納されている）とともにレスポンス認定サーバ３０へと送信する（ステップ４０７）。これを受信したレスポンス認定サーバ３０ではステップ５０７へと移行し（図５：ステップ５０３〜５０４）、受信した新しい環境情報などを識別情報と対応付けて記憶部３２（ＰＣ登録内容ＤＢ）に格納（登録内容更新処理）する（ステップ５０７）。
【００５８】
以上の処理により、ＰＣ２０に“レスポンス測定機能”が備えられると共に、レスポンス認定サーバ３０に、ＰＣ２０の環境情報（ＰＣ２０の所在地情報など）が登録される。
【００５９】
図６は、ＰＣ２０における、Ｗｅｂサイトのレスポンスを測定する処理と測定結果をレスポンス認定サーバ３０へ送信する処理（レスポンス測定プログラムの動作）の概略を示したフローチャートであり、図７は、ＰＣ２０からレスポンス測定結果を受信したレスポンス認定サーバ３０の処理の概略を示したフローチャートである。
【００６０】
Ｗｅｂサイトのレスポンスを測定する測定時刻（予めレスポンス認定サーバ３０側によって設定されている若しくはＰＣユーザによって設定され記憶部に格納されているものであり、例えば５分間隔で測定するなど）が到来した際には（図６：ステップ６０１）、接続先情報として設定されているＵＲＬ情報を使用してＷｅｂサイトのレスポンスを測定し、当該測定結果を記憶部２２に格納する（ステップ６０２）。図１０に、当該処理によって得られる測定結果が格納されるテーブルの一例を示した。同図に示されるように、ＰＣ２０には、レスポンス測定先情報と測定結果情報と測定時刻情報とが対応付けられて蓄積される。なお、各Ｗｅｂサイトのレスポンスの測定は、一例を挙げれば、図１５にその概念説明図を示したように、ＷｅｂサイトにＨＴＴＰリクエストを送信した時点と、当該ＨＴＴＰリクエストに対するレスポンスを受信した時点と、の間の時間（図中のＴ１）を測定することや、ＴＣＰ／ＩＰセッションの開始と終了の間の時間（図中のＴ２）を測定すること等によって行う。上記方法によれば、ＨＴＴＰの応答時間Ｔ１は良好であるのに、ＴＣＰ／ＩＰの応答時間Ｔ２（Ｗｅｂサイトへの要求がＷｅｂページの取得である場合には、Ｗｅｂページが表示されるまでの時間となる）が思わしくないような場合には、当該Ｗｅｂページの画面構成に問題（検討の必要性）があると判断することや、ＨＴＴＰの応答時間Ｔ１が思わしくないような場合には、ネットワーク構成に問題（検討の必要性）があると判断すること等が可能となる。このように、各Ｗｅｂサイトのレスポンスの測定の手法を適宜選択することにより、これによって得られるデータを、種々の性能評価に利用することが可能となる。
【００６１】
ステップ６０３では、レスポンス測定結果の送信時刻（上記と同様に予めレスポンス認定サーバ３０側によって設定されている若しくはＰＣユーザによって設定されているもの）の到来を待ち、送信時刻に至った際には、レスポンス測定先情報と測定結果情報と測定時刻情報と（図１０のテーブルが有する情報）を、自己の識別情報と共にレスポンス認定サーバ３０へと送信する。
【００６２】
当該情報をＰＣ２０から受信したレスポンス認定サーバ３０は（図７：ステップ７０１）、ＰＣ登録内容ＤＢ（図８のテーブル）を参照して、受信した識別情報（識別子）に対応する環境情報を取得し、当該環境情報と受信したレスポンス測定結果情報等（図１０のテーブルが有する情報）とを対応付けて記憶部３２（測定結果ＤＢ）へと格納する（ステップ７０２）。図９は当該処理によって得られるテーブルの一例を示した図であり、同図は、各接続先（レスポンス測定先）ごとに生成されるテーブルの１つを示したものである。
【００６３】
続くステップ７０３では、ＰＣ２０に送信済みの「接続先情報（レスポンスを測定する対象となるＷｅｂサイトのＵＲＬ情報）」と、自己の備える接続先情報に差分があるか否かを判別し、これがあった場合には当該差分情報をＰＣ２０に送信する（ステップ７０４）。これを受信したＰＣ２０は（図６：ステップ６０５）、当該差分情報によって接続先情報を更新する（ステップ６０６）。
【００６４】
以上の処理より、レスポンス認定サーバ３０には、レスポンスを測定する対象となる各Ｗｅｂサイトの、測定結果が、レスポンスを測定したＰＣの環境情報（所在地情報など）に対応付けられて蓄積されることとなる。レスポンス認定サーバ３０では、当該蓄積された情報に基づいて、各Ｗｅｂサイトの、各地域別のレスポンス測定結果を集計し、当該測定・集計結果を示すＷｅｂページを生成し、これを公開する。図１２は当該Ｗｅｂページの表示画面の一例を示す図である。これにより、ユーザにしてみれば、各サイトの運営姿勢（設備投資状況など）を評価する為の目安を得ることができ、各サイト運営側にしてみれば、よりよい評価を得ることで、宣伝効果を得ることができる。なお、レスポンス測定結果の集計は、地域情報の他、接続回線情報やプロバイダ情報などの情報（環境情報のうち、Ｗｅｂサイトのレスポンスを測定する際に、測定結果に影響を及ぼし得る要因に関する情報）等を利用して（これらを組み合わせて）集計するものであってよい（例えばプロバイダ別に集計するものや、測定時間の時間帯別に集計するものなど）。
【００６５】
以上のごとく、本実施例のレスポンス検証システムによれば、異なる場所に設置される複数の情報処理装置（ＰＣ）によって、Ｗｅｂサイトのレスポンスが測定され、当該測定結果が環境情報（ＰＣの所在地情報など）と対応付けられてレスポンス認定サーバへと送信されるため、レスポンス認定サーバにおいて、Ｗｅｂサイトの応答性の測定・評価を、地理的な要因を包含させて行うことが可能となる（例えば、「ＷｅｂサイトＸは、地域Ａからアクセスした場合には、レスポンスはａであるが、地域Ｂからアクセスした場合にはレスポンスがｂになる」などの情報を得ることができる）。また、レスポンス認定サーバからレスポンス測定プログラムを配信することにより、インターネット接続環境を有する既存のＰＣを、“Ｗｅｂサイトのレスポンスを測定するための装置”とさせることができるため、設備投資を最小限に抑えつつ、全地域的に多数の“Ｗｅｂサイトのレスポンスを測定させるための装置”を設けることが可能となる。さらに、レスポンス認定サーバから与えられる接続先情報に従って、各ＰＣによるレスポンス測定が実行されるため、レスポンス認定サーバ側によって、レスポンス検証対象を指示する事が可能となる。
【００６６】
また、前述のごとく、サイト運営者からみれば、本実施例のレスポンス検証システムによって開示されるレスポンス測定結果において良い評価を得られることは、宣伝効果を得ることができるものであり、また、自己のサイトを評価するために本実施例のレスポンス検証システムを利用することもできる。従って、Ｗｅｂサイトを有する者からの要求に応じて、対価を得てレスポンス認定サービスを提供する（本実施例のレスポンス検証システムを運営する）というビジネスモデルとすることもできる。なお、測定点を増やす（より多くのＰＣユーザにレスポンス測定プログラムをインストール（本システムへの登録手続き）してもらう）為に、ＰＣユーザにインセンティブを与えるようにしてもよい（例えば、登録時やレスポンス測定時若しくは測定結果送信時などにポイントを付与し、当該ポイントを何らかのサービスや商品等と交換可能とさせるなど）。
【００６７】
なお、本実施例では、レスポンス認定サーバに各ＰＣの識別情報と環境情報とを対応付けて予め登録しておくことにより、各ＰＣによって取得されたレスポンス測定結果をレスポンス認定サーバに送信する際には、識別情報を送信することで（環境情報を送信しなくても）、レスポンス認定サーバにおいて当該ＰＣの環境情報を判別することを可能としている（これにより、ネットワーク上のトラフィックを低減させることが可能となる）が、環境情報をＰＣ側で保持させ（記憶部２５に格納し）、レスポンス測定結果を送信する際に環境情報も送信させるようにしてもよい。
【００６８】
また、本実施例では、各ＰＣを一意に定める為の識別情報を、レスポンス認定サーバによって付与するものとしているが、本発明をこれに限るというものではなく、各ＰＣに予め割当てられている情報に、識別情報として利用できるものがある場合には（例えば、グローバルＩＰアドレスを有する装置である場合には当該ＩＰアドレスや、通信部２５のＮＩＣ(Ｎｅｔｗｏｒｋ  Ｉｎｔｅｒｆａｃｅ  Ｃａｒｄ)に割り当てられたＭＡＣ（Ｍｅｄｉａ  Ａｃｃｅｓｓ  Ｃｏｎｔｒｏｌ）アドレスなどを利用するようにしてもよい）、これをＰＣ側からレスポンス認定サーバに送信し、これを用いるものであっても構わない。図１３と図１４に、このような“ＰＣ側の識別情報を使用する”ものの処理概念を示した。なお、図４・図５と同様の処理概念については同一の符号を使用している。“新規登録手続き”の際にＰＣ側から環境情報と共に識別情報を送信し（図１３：ステップ１３０１）、これを受信したレスポンス認定サーバ３０は、当該受信した環境情報と識別情報とを対応付けて記憶部に格納している（図１４：ステップ１４０１）。
【００６９】
本実施例では、レスポンス認定サーバからレスポンス測定プログラムをダウンロードすることによって、ＰＣにレスポンス測定機能を備えさせるものとしたが、本発明をこれに限るものではなく、例えば、記録媒体に記録されたレスポンス測定プログラムをインストールすることによってＰＣにレスポンス測定機能を備えさせる等してもよい。また、“Ｗｅｂサイトのレスポンスを測定させるための装置”をＰＣ（いわゆるパソコン）に限るものではなく、その他の装置（例えば専用のハードウェア）であっても構わない。
【００７０】
本実施例では、レスポンス認定サーバが一つのハードウェアによって構成されている（ＰＣを登録する為の入力フォームページを提供するＷｅｂサーバとしての機能や、収集した測定結果を集計する機能、集計結果をＷｅｂページにして提供するＷｅｂサーバとしての機能などが同一のハードウェアによって実現される）ような記載（図１）としているが、上述した発明の概念に沿うものであれば、ハードウェアの構成は特に問わない（各機能を実行するハードウェアが、１つであるか複数であるかは、本発明の適用に影響を与えない）。
【図面の簡単な説明】
【００７１】
【図１】レスポンス検証システムの構成の概略を示すブロック図
【図２】レスポンス検証システムの地理的な配置を説明するための説明図
【図３】レスポンス検証システムの地理的な配置を説明するための別の説明図
【図４】ＰＣの、レスポンス測定プログラムをダウンロードする際の処理の概略を示したフローチャート
【図５】ＰＣからダウンロード要求があった際のレスポンス認定サーバ３０の処理の概略を示したフローチャート
【図６】ＰＣの、レスポンス測定処理と測定結果送信処理の概略を示したフローチャート
【図７】レスポンス認定サーバの、レスポンス測定結果を受信した際の処理の概略を示したフローチャート
【図８】ＰＣ登録内容ＤＢの内容を示したテーブルの一例を示す図
【図９】測定先ごとに得られる、レスポンス測定結果が格納されるテーブルの一例を示す図
【図１０】ＰＣに蓄積されるレスポンス測定結果テーブルの一例を示す図
【図１１】表示画面（登録情報入力フォーム）の一例を示す図
【図１２】表示画面（レスポンス測定・集計結果を示すＷｅｂページ）の一例を示す図
【図１３】ＰＣの、レスポンス測定プログラムをダウンロードする際の別の処理の概略を示したフローチャート
【図１４】ＰＣからダウンロード要求があった際のレスポンス認定サーバ３０の別の処理の概略を示したフローチャート
【図１５】Ｗｅｂサイトのレスポンス測定方法の一例を説明するためのシーケンス図
【符号の説明】
【００７２】
１      レスポンス検証システム
１０    インターネット（ネットワーク）
２０    ＰＣ（レスポンス測定機能を備える情報処理装置）
２１    制御部
２２    記憶部
２３    出力部
２４    入力部
２５    通信部
３０    レスポンス認定サーバ（レスポンス時間検証装置）
３１    制御部
３２    記憶部
３３    出力部
３４    入力部
３５    通信部
４０    Ｗｅｂサイト（被検証情報処理装置）
【図１】
2007219708.tif 000003
【図２】
2007219708.tif 000004
【図３】
2007219708.tif 000005
【図４】
2007219708.tif 000006
【図５】
2007219708.tif 000007
【図６】
2007219708.tif 000008
【図７】
2007219708.tif 000009
【図８】
2007219708.tif 000010
【図９】
2007219708.tif 000011
【図１０】
2007219708.tif 000012
【図１１】
2007219708.tif 000013
【図１２】
2007219708.tif 000014
【図１３】
2007219708.tif 000015
【図１４】
2007219708.tif 000016
【図１５】
2007219708.tif 000017